(57)【要約】【課題】既存の無線機機器を使用してコスト効率のよう方法で安全な送信を生み出すマイクロフォンユニットの提供。【解決手段】マイクロフォンユニット１２は、音声入力信号を受信するマイクロフォン２１、音声信号からデジタル信号を生成するアナログ／デジタルコンバータ２５、デジタル信号から音声コード化された信号を生成する音声コード化デバイス２７、音声コード化信号を暗号化する暗号化手段２９、及びマイクロフォン入力部を介して無線機に供給可能な送信可能信号を生成する変調器３３を具備する。さらに、マイクロフォンユニット１２は、暗号化信号の受信時に逆の工程を実行することができる。無線機からの受信信号出力は復調され、暗号が解読され、音声が解読され、デジタル音声信号からアナログ音声信号に変換され、好適にはマイクロフォンユニットに内蔵されたスピーカにより出力される。【選択図】図２
2005318580.tif 000002
【特許請求の範囲】
【請求項１】
可聴入力を受けると共に該可聴入力を電気信号に変換するマイクロフォンと、
双方向無線機により受信することができる暗号化アナログ信号を生成する、前記電気信号を暗号化する手段と、
前記双方向無線機により受信することができる暗号化アナログ信号を供給する出力部と
を具備することを特徴とするマイクロフォンユニット。
【請求項２】
前記電気信号を暗号化する手段は、
前記マイクロフォンに結合され、前記電気信号からデジタル信号を生成するデジタイザと、
該デジタイザに結合され、前記デジタル信号から音声コード化信号を生成する音声コード化デバイスと、
前記音声コード化信号を受信するよう結合され、前記音声コード化信号を暗号化して暗号化信号を生成する暗号化モジュールと、
前記暗号化信号を受信するよう結合され、前記双方向無線機により受信できる出力信号を生成する変調器と
をさらに具備することを特徴とする請求項１記載のマイクロフォンユニット。
【請求項３】
前記マイクロフォン及び前記デジタイザ間に結合され、前記電気信号を増幅すると共に前記デジタイザに増幅された前記電気信号を供給する増幅器回路をさらに具備することを特徴とする請求項２記載のマイクロフォンユニット。
【請求項４】
前記双方向無線機はアナログ双方向無線機であることを特徴とする請求項１記載のマイクロフォンユニット。
【請求項５】
前記双方向無線機は、マイクロフォン入力標準ジャックを介して前記出力信号を受信することを特徴とする請求項１記載のマイクロフォンユニット。
【請求項６】
前記暗号化モジュールは前記音声コード化信号を暗号化するソフトウエアを具備することを特徴とする請求項２記載のマイクロフォンユニット。
【請求項７】
前記暗号化モジュールは暗号化キーを保存するメモリをさらに具備することを特徴とする請求項６記載のマイクロフォンユニット。
【請求項８】
前記音声コード化デバイスはＡＭＢＥ＋ボコーダであることを特徴とする請求項２記載のマイクロフォンユニット。
【請求項９】
前記暗号化はＡＥＳ暗号化であることを特徴とする請求項１記載のマイクロフォンユニット。
【請求項１０】
アナログ無線機からの出力信号を受信し該出力信号を音声コード化信号に復調する復調器と、
該復調器に結合され、前記音声コード化信号を解読して解読音声コード化信号を生成する解読手段と、
該解読手段に結合され、前記解読音声コード化信号からデジタル音声信号を生成する音声デコード化デバイスと、
該音声デコード化デバイスに結合され、前記デジタル音声信号をアナログ音声信号に変換するデジタル／アナログ変換器と、
該デジタル／アナログ変換器に結合され、前記アナログ音声信号を出力するスピーカと
をさらに具備することを特徴とする請求項１記載のマイクロフォンユニット。
【請求項１１】
双方向無線機から暗号化アナログ信号を受信する入力部と、
スピーカを介して出力することができる解読されたアナログ電気信号を生成する、前記暗号化アナログ信号を解読する手段と、
前記アナログ電気信号を出力するスピーカと
を具備することを特徴とするマイクロフォンユニット。
【請求項１２】
前記解読手段は、
アナログ無線機からの前記暗号化アナログ信号を受信し該暗号化アナログ信号を音声コード化信号に復調する復調器と、
該復調器に結合され、前記音声コード化信号を解読して解読音声コード化信号を生成する解読手段と、
該解読手段に結合され、前記解読音声コード化信号からデジタル音声信号を生成する音声デコード化デバイスと、
該音声デコード化デバイスに結合され、前記デジタル音声信号を前記アナログ電気信号に変換するデジタル／アナログ変換器と、
をさらに具備することを特徴とする請求項１１記載のマイクロフォンユニット。
【請求項１３】
前記デジタル／アナログ変換器及び前記スピーカ間に結合され、前記アナログ電気信号を増幅すると共に前記スピーカに前記増幅された信号を供給する増幅器回路をさらに具備することを特徴とする請求項１２記載のマイクロフォンユニット。
【請求項１４】
前記双方向無線機はアナログ双方向無線機であることを特徴とする請求項１１記載のマイクロフォンユニット。
【請求項１５】
前記双方向無線機は、マイクロフォン出力標準ジャックを介して前記暗号化アナログ信号を供給することを特徴とする請求項１１記載のマイクロフォンユニット。
【請求項１６】
前記解読モジュールは前記音声コード化信号を解読するソフトウエアを具備することを特徴とする請求項１２記載のマイクロフォンユニット。
【請求項１７】
前記解読モジュールは解読キーを保存するメモリをさらに具備することを特徴とする請求項１２記載のマイクロフォンユニット。
【請求項１８】
前記音声デコード化デバイスはＡＭＢＥ＋ボコーダであることを特徴とする請求項１２記載のマイクロフォンユニット。
【請求項１９】
前記解読はＡＥＳ解読であることを特徴とする請求項１１記載のマイクロフォンユニット。
【請求項２０】
マイクロフォンユニットに含まれるマイクロフォンに音声を入力し、アナログ電気信号を生成する工程と、
前記マイクロフォンユニット内で前記アナログ電気信号をデジタル化してデジタル音声信号を生成する工程と、
該デジタル音声信号を音声コード化して音声コード化信号を生成する工程と、
該音声コード化信号を暗号化して暗号化信号を生成する工程と、
該暗号化信号を変調して出力信号を生成する工程とを具備し、
該出力信号は、双方向無線機内に含まれるマイクロフォンユニットを介して該双方向無線機により受信することができることを特徴とする、安全な可聴信号入力を双方向アナログ無線機に供給する方法。
【請求項２１】
前記デジタル化工程の前に前記アナログ電気信号を増幅する工程をさらに具備することを特徴とする請求項２０記載の方法。
【請求項２２】
アナログ無線機からの安全信号を復調して暗号化音声コード化信号を生成する工程と、
該暗号化音声コード化信号を解読してデジタル音声コード化信号を生成する工程と、
該デジタル音声コード化信号を音声デコード化してデコード化音声信号を生成する工程と、
該デコード化音声信号をアナログ音声信号に変換する工程と、
スピーカを介して前記アナログ音声信号を出力する工程と
を具備することを特徴とする、双方向アナログ無線機から安全信号を受信して安全信号を可聴音声に変換する方法。
【請求項２３】
前記スピーカへの出力工程の前に前記アナログ音声信号を増幅する工程をさらに具備することを特徴とする請求項２２記載の方法。
【請求項２４】
マイクロフォンユニットに含まれるマイクロフォンに音声を入力し、アナログ電気信号を生成する工程と、
前記マイクロフォンユニット内で前記アナログ電気信号をデジタル化してデジタル音声信号を生成する工程と、
該デジタル音声信号を音声コード化して音声コード化信号を生成する工程と、
該音声コード化信号を暗号化して暗号化信号を生成する工程と、
該暗号化信号を変調し、双方向無線機内に含まれるマイクロフォンユニットを介して該双方向無線機により受信することができる第１出力信号を生成する工程と、
前記第１出力信号を第１双方向アナログ無線機に供給する工程と、
該第１双方向アナログ無線機により放送信号を送信する工程と、
第２双方向アナログ無線機により前記放送信号を受信し、前記放送信号を表わす第２出力信号を出力する工程と、
該第２出力信号を第２マイクロフォンユニットに供給する工程と、
前記第２出力信号を復調して暗号化音声コード化信号を生成する工程と、
該暗号化音声コード化信号を解読してデジタル音声コード化信号を生成する工程と、
該デジタル音声コード化信号を音声デコード化してデコード化音声信号を生成する工程と、
該デコード化音声信号をアナログ音声信号に変換する工程と、
スピーカを介して前記アナログ音声信号を出力する工程と
を具備することを特徴とする、双方向アナログ無線機間の安全通信方法。
【発明の詳細な説明】
【技術分野】
【０００１】
本発明は無線通信システムに関し、より詳細には、無線機間の安全な通信を確保するための方法及び装置に関する。
【背景技術】
【０００２】
無線通信における安全を確保することに、最近、関心が高まってきた。双方向無線通信は、幅広いユーザが今日、大規模に使用している。警察官、消防士、兵士、商業組織及び普通の市民は皆、通信用に双方向無線を使用することが多い。従来、このような通信は安全では無かった。すなわち、通信周波数上で無線機（ラジオ）又はスキャナを有する人が通信を傍受し理解するおそれがある。しかし、今日の環境において、以前は安全でない送信で十分であった領域において安全な通信に対するニーズが大きくなってきた。
【０００３】
過去、安全な送信システムは、一般的に高い国家安全保障レベルを含むシステムに限定されていた。安全な送信を実現するために、暗号化技法が高級システムに使用されている。これらの技法には、送信時に（デジタル又はアナログ）信号をスクランブルし、受信時に信号を解読することが含まれる。
【０００４】
しかし、いつもシステムに暗号を加える必要があることは、新たな懸念を生ずる。通信を安全にするために、今日、二つの選択肢が利用できる。第一の全体的に新しいシステムは、国家安全保障に関わる用途において以前使用された高級システムに類似する、各無線機に内蔵された暗号化技術を含む。この全体的に新しいシステムがインストール可能である。しかし、問題は、この方法が現在使用されている既存の全ハードウエアの交換を要する点である。既存の全システム及び全無線機は使用されなくなる。この制限のため、この解決策は極めて高価になり、多くの場合、法外な費用がかかる。
【０００５】
第二のあまり一般的に使用されない選択肢は、暗号を与える既存の無線機に新たな部品をインストールすることである。この方法も著しい制限がある。現存する任意の暗号化部品は、特定のブランド及び無線機モデル用に設計されてきた。このため、この後取付の方法は、適用可能なタイプの無線機に限定されている。さらにこの方法は、暗号化部品を購入した後に、各無線機を分解し、暗号化部品をインストールし、無線機を再組立しなければならない点でコスト高である。この結果、この技法は実際の用途が限定されている。
【特許文献１】特開２００２−３４１７６１号公報
【発明の開示】
【発明が解決しようとする課題】
【０００６】
望ましいのは、従来、安全ではなかった環境において安全に送信するシステムである。既存の無線機器を使用してコスト効率のよう方法で安全な送信を生み出すことがさらに望ましい。本発明はこれら要望を満たす。
【課題を解決するための手段】
【０００７】
本発明は、安全な無線通信を実現するシステム、方法及び装置を提供する。本発明により、既存の通信システム上で作動する既存の無線機を使用して安全を得ることができる。本発明によれば、暗号化機能は、既存の無線機器と共に作動することができるマイクロフォンユニットに組み込まれる。本発明によるマイクロフォンユニットは、ユーザの音声から生成された信号を暗号化し、無線機が通常受信する暗号化されていない音声信号と同じ信号様式で無線機に暗号化信号を供給する。この方法において、暗号は既存の無線機を使用して既存のマイクロフォン入力部を介して提供できるので、高価な新システム又は既存のシステムの高価な変更の必要を無くす。
【０００８】
好適な一実施形態は、音声信号を受信するマイクロフォン、音声信号からデジタル信号を生成するアナログ／デジタルコンバータ、デジタル信号から音声コード化された信号を生成する音声コード化デバイス、音声コード化信号を暗号化する暗号化手段、及びマイクロフォン入力部を介して無線機に供給可能な送信可能信号を生成する変調器を具備する。
【０００９】
さらに、マイクロフォンユニットは、暗号化信号の受信時に逆の工程を実行することができる。無線機からの受信信号出力は復調され、暗号が解読され、音声が解読（デコード）され、デジタル音声信号からアナログ音声信号に変換され、好適にはマイクロフォンユニットに内蔵されたスピーカにより出力される。
【発明を実施するための最良の形態】
【００１０】
以下、添付図面を参照して本発明を説明する。
【００１１】
図１は、本発明に従ったマイクロフォンユニットが作動できる典型的な環境を示す。公共安全職員（例えば、警察官、消防士等）が使用するよう構成されたより普通の構成の一つにおける双方向無線機が図示される。襟又は肩取付型マイクロフォンユニット１２はユーザの肩に着用される。マイクロフォンユニット１２は、代表的にはユーザのベルトに着用される主無線機ユニット１９にケーブル１７を介して接続される。警察官に広く使用される主無線機ユニット１９は、ＵＨＦ帯域で作動する双方向無線機である。しかし、本発明は、多くのタイプの無線機と共に使用することができ、典型的実施形態の無線機タイプに限定されないことを理解されたい。
【００１２】
警察官の肩に示されるマイクロフォンユニット１２は、押して話す（ＰＴＴ）タイプのユニットであるのが代表的である。ＰＴＴボタン１６は、マイクロフォンを送信モードで作動させるために、警察官が押圧するマイクロフォンユニット１２にある。ＰＴＴボタン１６が押圧されないと、マイクロフォンユニットは受信モードにあるので、入って来る通信は、マイクロフォンユニット１２に内蔵されたスピーカ１８を介して広められる。
【００１３】
肩に着用されたマイクロフォンユニット１２は、ケーブル１７を介して主無線機ユニット１９に接続される。主無線機ユニット１２は、マイクロフォン入力を受信することができる任意のタイプの双方向無線機ユニットでもよい。
【００１４】
さて、本発明に従ったマイクロフォンユニット１２を、図２ないし図５を参照して詳細に説明する。図２及び図４において、ブロック図は、本発明に従って実施するよう使用できる典型的な一マイクロフォンユニット１２の種々の部品を例示するために使用される。図２は暗号化信号を送信するために使用される部品を示す一方、図４は暗号化信号を受信するために使用される部品を示す。しかし、好適な一実施形態において、或る部品は両工程に使用できることを理解すべきである。明瞭化のために、図２及び図４には別の部品が示される。
【００１５】
図３及び図５は、本発明に従ったマイクロフォンユニットにより実行される、区別できる２工程を示すフローチャートである。図４は、出て行く、すなわち送信段階中の音声入力で実行される工程を示す。図５は、入って来る、すなわち受信段階中にアナログ無線機から受信される信号で実行される工程を示す。
【００１６】
図２及び図３を参照すると、本発明に従ったマイクロフォンユニット１２により実行される送信段階は、ユーザがマイクロフォンユニット１２に話をすること（工程２２）から始まる。マイクロフォンユニット１２はマイクロフォン２１を有する。マイクロフォン２１は、ユーザから音声信号を受けるために使用される。マイクロフォン２１は、当業界で周知である市販されている任意の標準マイクロフォンからなる。
【００１７】
ユーザからの入力は、マイクロフォン２２により可聴音声信号からマイクロフォン２２の出力であるアナログ音声信号に変換される。次に、アナログ音声信号は増幅器回路２３により増幅される（工程２４）。アナログ信号の増幅は、任意数の増幅回路を使用して達成される周知の方法である。増幅されたアナログ音声信号は次に、デジタル音声信号に変換される（工程２６）。アナログからデジタル信号への変換は、アナログ／デジタル（Ａ／Ｄ）変換器２５を使用して達成される。アナログ信号をデジタル信号に変換する標準的なＡ／Ｄ変換器が存在する。Ａ／Ｄ変換器は広く利用可能であり、当業界で周知である。
【００１８】
入力信号がデジタル音声信号に一旦変換されると、ボコーダ（vocoder）２７を使用してデジタル音声信号を音声コード化されたデジタル化音声信号に変換するよう処理される（工程２８）。ボコーダデバイスは音声コード化として公知の方法を実行し、これによりデジタル化された信号は、音声入力を表わす低いデータレート信号に圧縮される。代表的なデジタル音声信号は、毎秒64キロビット及び毎秒128キロビットの間を要する。しかし、これら比較的高いデータレートは、効率のよいデジタル伝送には貢献しない。ボコーダは、著しく低いデータレートでのデジタル音声信号のデジタル表現を生成するために、人間の音声域を形に表わす一連のデジタルフィルタを使用する。例えば、代表的なボコーダの出力は、わずか毎秒2.4キロビット及び毎秒4.8キロビットの間を要する。好適な一実施形態において、米国デジタル・ボイス・システム社によりライセンスされるＡＭＢＥ＋アドバンストマルチバンド励起ボコーダ等のマルチバンド励起ボコーダが使用される。
【００１９】
ボコーダ２７によりボコード化された（vocoded）信号出力は暗号化される（工程３０）。多数の暗号化標準が存在する。現在、先進暗号標準（ＡＥＳ）が公共安全用途に広く使用されている。このため、好適な一実施形態において、ＡＥＳ暗号が使用される。しかし、他の公知の暗号化標準（例えば、ＤＥＳ，三重ＤＥＳ）又は将来開発される任意の暗号化標準も使用可能であることを理解されたい。好適な一実施形態において、暗号化は、暗号化アルゴリズムをボコード化された信号に適用する暗号化モジュール２９にプログラムされたソフトウエアを使用して実行される。ソフトウエアが作動する暗号化モジュールは、デジタルプロセッサ、マイクロプロセッサ、プログラムされた汎用コンピュータ等であるがこれらに限定されないデジタルプロセッサを具備する。また、暗号化モジュールの機能の一部又は全部は、アナログ回路により実施してもよい。
【００２０】
暗号化無線機システムの一問題は、暗号化性能を有するユニットが一度紛失又は盗まれると、システムの安全性が危うくなるという点である。例えば、個人が本発明に従ったマイクロフォンユニットを得た場合、保護しようとしていた通信をその個人が傍受及び理解できてしまう。このため、紛失又は盗まれたであろう権限の無いユニットはシステム上に送られた通信を最早理解することができないことを保証するために、暗号化コードすなわちＡｋｅｙ＠を変更できることが重要である。暗号化モジュール２９内のメモリ３１に保存されたソフトウエアＡｋｅｙ＠を使用することにより、ユニットを現場から撤去することを要さないで、暗号化Ａｋｅｙ＠を容易に且つ効率的に変更することが可能である。例えば、本発明に従ったマイクロフォンユニットは、権限のある全ユーザに提供された新たなＡｋｅｙ＠を入力することにより、ユーザが手動でＡｋｅｙ＠を再プログラムできるキーパッドを具備することができる。或いは、マイクロフォンユニットは、システム内の基地局から新たなＡｋｅｙ＠を一斉送信することにより、自動的に再プログラムすることができる。このような方法でのＡｋｅｙ＠の再プログラムの例は、新たなキーの権限のある受信者に新たなＡｋｅｙ＠送信を受信するために特定時間、特定のチャンネルに合わせるよう命令するのに対し、権限の無いユニットのユーザはいつ、どこに合わせるかを知らないので、新たなＡｋｅｙ＠を受信できない。
【００２１】
ボコード化された信号が一旦暗号化されると、暗号化信号は、標準的なアナログ無線機に供給できるアナログ出力を生成するよう搬送信号上に変調される（工程３２）。マイクロフォンユニット１２からのアナログ出力は、アナログ無線機により従来技術のマイクロフォンから通常受信されるものと同一のタイプである。好適には変調器集積回路３３で実施される周知の変調回路は、変調方法を実行するために使用される。変調された出力信号は、多くの無線機のマイクロフォン入力標準ジャックを介して、或いは既存のマイクロフォンの代わりに本発明に従ったマイクロフォンユニット１２を配線接続することにより、任意の標準的アナログ無線機に供給することができる（工程３４）。いずれの場合においても、暗号化送信を送る既存の無線機を使用するために、必要な変更は最小か又は変更はない。
【００２２】
通信サイクルを完了するために、暗号化送信は、送信信号を解読できる能力を有する無線機をユーザが操作して受信しなければならない。この工程は、本発明に従ったマイクロフォンユニットと共に操作する任意の標準的アナログ無線機により実行することができる。
【００２３】
図４及び図５を参照すると、通信の受信段階が図示されている。暗号化信号は、標準的アナログ無線機によりアナログ無線機信号として受信される（工程３６）。この暗号化信号は、通常無線機がスピーカユニット（例えば、図１図示された構成において、警察官の肩に着用された従来技術のマイクロフォンに含まれる小スピーカ）に暗号化されていない信号を出力するのと同じ方法で無線機から出力される。暗号化アナログ信号は、マイクロフォンユニット１２が受け、好適には集積回路３７で実施される周知の復調回路を使用して復調される（工程３８）。復調工程は、アナログ搬送信号から暗号化デジタル信号を除去する。
【００２４】
信号が一旦復調されると、その結果得られる信号は、暗号化されたデジタル信号又は一連の暗号化されたビットを有する。この一連の暗号化ビットは解読する必要がある。解読工程（工程４０）は、好適にはマイクロフォンユニット１２内に保存されたソフトウエアを有する解読モジュール３９により信号上で実行される。選択暗号化標準（例えば、ＤＥＳ、三重ＤＥＳ、ＡＥＳ等）に対応する解読アルゴリズムは、解読モジュール３９内に含まれるメモリ４１で維持されるセキュリティＡｋｅｙ＠を使用して暗号を除去するよう一連のビットに適用される。その結果得られる信号は、暗号化及び送信の前のボコード化された入力信号を表わす、音声コード化された、すなわちボコード化された信号である。
【００２５】
ボコード化信号は、入力マイクロフォンユニットにより生成されたデジタル音声信号を表わすデジタル信号に拡張するために、好適には送信段階の際、信号圧縮に使用されるものと同じボコーダチップに含まれる音声デコーダ４３に印加される（工程４２）。
【００２６】
この時点で、デジタル信号は、デジタル／アナログ（Ｄ／Ａ）変換器４５を使用してアナログ信号に変換することができる（工程４４）。その結果得られるアナログ信号は、次に増幅器回路４７を使用して増幅され（工程４６）ユーザにとって可聴の信号として出力するためのスピーカ４９に供給される（工程４８）音声信号である。
【００２７】
本発明に従ったマイクロフォンユニットを使用することにより、暗号化は標準的なアナログ無線機システムに付加できる。このため、既存の無線機を新たな暗号化可能な無線機に置換する必要や、無線機ユニットに暗号化ハードウエアを設置することにより既存の無線機に後取付する必要を無くす。置換する必要があるのはマイクロフォンユニットのみである。さらに、「Ａエンドからエンド＠」（A end to end@）暗号化が本発明により提供される。このことは、信号が暗号化されたままであるので、第１ユーザの送信点から第２ユーザの受信点まで、権限の無いユーザから保護されることを意味する。無線機システムは、信号を送信する第１ユーザ及びその信号を受信する第２ユーザ間でいくつかの中間段階を含むことが多い。例えば、信号は基地局で中継されることがあり、また、システム内で１個以上の移動リピータユニットが作動することもある。これら中間ユニットにより、無線機システムの作動レンジが個々の無線機のレンジをはるかに超えて拡張することができる。本発明に従ったマイクロフォンと共に作動する無線機により送信される暗号化信号は標準的アナログ無線機信号として中間ユニットに現われるので、中間ユニットは信号解読を要することなく、増幅することができると共に送信を中継することができる。このため、信号は、意図された最終目的地に到達するまで、最初の発信源から暗号化されたままである。
【００２８】
好適な一実施形態において、本発明に従ったイクロフォンユニットにより、ユーザが暗号化送信すなわち安全のモードと、暗号化されていないすなわち明瞭なモードとの間を手動選択することが可能になる。このため、ユーザが安全モード通信を受信することができない他の無線機と通信したい場合には、ユーザが安全モードをオフにすることができる。好適な一実施形態において、マイクロフォンユニット出力をマイクロフォン出力に直接接続できるスイッチがマイクロフォンユニットの側面に設けられるので、マイクロフォンユニット内の残余の部品は迂回して明瞭モード送信を可能にする。
【００２９】
本発明に従ったマイクロフォンユニットを使用することにより、既存の無線機システムに効率的で完全な安全システムを提供する。スキャナ、紛失した又は盗まれた無線機を使用して送信を盗聴しようとする個人に対して安全が得られる。これら全ての特徴は、本発明に従った簡単でコスト効率のよいマイクロフォンユニットの使用を通して遂行される。今日、世界中に現われる安全性の懸念の増大に鑑み、本発明は、従来技術の安全でないシステムに対して重要な改善を提供する。
【００３０】
上述の実施形態は例示であって、それに限定すべきでなく、本発明の真髄及び範囲から逸脱することなく、当業者は明白な変更をすることができる。従って、本明細書は、特許請求の範囲に定義された本発明の真髄及び範囲内に含まれるような代替物、変更物及び等価物をカバーするよう意図されている。
【図面の簡単な説明】
【００３１】
【図１】使用中の双方向無線機の典型的環境を示す図である。
【図２】本発明に従った安全通信を送信するために使用されるマイクロフォンユニットの種々の構成部品を示すブロック図である。
【図３】本発明に従った安全通信を送信する方法を示すフローチャートである。
【図４】本発明に従った安全通信を受信するために使用されるマイクロフォンユニットの種々の構成部品を示すブロック図である。
【図５】本発明に従った安全通信を受信する方法を示すフローチャートである。
【符号の説明】
【００３２】
１２  マイクロフォンユニット
２１  マイクロフォン
２３，４７  増幅器
２５  アナログ／デジタル変換器（デジタイザ）
２７  ボコーダ（音声コード化デバイス）
２９  暗号化モジュール（暗号化手段）
３１，４１  メモリ
３３  変調器回路
３７  復調器
３９  解読モジュール（解読手段）
４３  ボコーダ（音声デコード化デバイス）
４５  デジタル／アナログ変換器
４９  スピーカ
【図１】
2005318580.tif 000003
【図２】
2005318580.tif 000004
【図３】
2005318580.tif 000005
【図４】
2005318580.tif 000006
【図５】
2005318580.tif 000007